【手続補正書】
【提出日】平成16年3月26日(2004.3.26)
【手続補正１】
【補正対象書類名】特許請求の範囲
【補正対象項目名】全文
【補正方法】変更
【補正の内容】
【特許請求の範囲】
【請求項１】
少なくとも１つの液体源と、
電源と、
前記電源によって電気的に加熱される加熱部であって、前記液体源に導通した入口部を有する第１及び第２の毛細管を含み、これら毛細管で液体を蒸発させるように動作する加熱部と、
電流を前記第１の毛細管に供給し、電流が前記第１の毛細管の少なくとも一部を通るようにする第１の電極と、
前記毛細管を接続し、前記第１の毛細管に供給される電流が前記第２の毛細管の少なくとも一部を通るようにうする電気接続部と、
前記第２の毛細管に電気的に接続され、前記両毛細管が前記電源に直列に電気接続されるようにする第２の電極と、
を備えることを特徴とする２重毛細管液体蒸発装置。
【請求項２】
前記第１及び第２の毛細管は、内径が０．１から０．５ｍｍであるステンレス鋼管で構成されることを特徴とする請求項１に記載の液体蒸発装置。
【請求項３】
前記第１及び第２の毛細管は、少なくとも１ｍｍ離した出力部を有し、互いに平行となっていることを特徴とする請求項１に記載の液体蒸発装置。
【請求項４】
前記液体蒸発装置は、マウスピースを有する吸入部を備え、前記毛細管は蒸気を前記マウスピースに導く出口部を有することを特徴とする請求項１に記載の液体蒸発装置。
【請求項５】
前記電源は、バッテリを含み、
前記第１の電極は、前記バッテリの１端部に電気的に接続され、前記第２の電極は前記バッテリの他端部に接続されていることを特徴とする請求項１に記載の液体蒸発装置。
【請求項６】
前記液体蒸発装置は、コントローラとバルブとセンサを有する吸入部を備え、前記センサは、所定量のエアゾールの排出に対応する排出条件を検知し、前記コントローラは、前記排出条件が前記センサによって検知された場合に前記バルブを開いて液体を前記液体源から前記第１及び第２の毛細管に排出し、電流を前記第１及び第２の毛細管を通して管内の液体を蒸発させるように、プログラムされている、
ことを特徴とする請求項１に記載の液体蒸発装置。
【請求項７】
前記第１及び第２の毛細管は同一の材質でできており、同一の長さ及び同一の内径を有している事を特徴とする請求項１に記載の液体蒸発装置。
【請求項８】
前記第１及び第２の電極は、前記電気的接続部から少なくとも５ｍｍのところに配置されていることを特徴とする請求項１に記載の液体蒸発装置。
【請求項９】
前記毛細管の出口端は、大気に触れていることを特徴とする請求項１に記載の液体蒸発装置。
【請求項１０】
前記電気的接続部は、前記毛細管の外面間の結合部を有していることを特徴とする請求項１に記載の液体蒸発装置。
【請求項１１】
液体源から第１及び第２の毛細管に液体を供給する工程と、
電源から電流を、前記第１の毛細管に通し、前記第１及び第２の毛細管を相互接続している電気接続部に通すことにより、前記第１及び第２の毛細管を加熱し、前記電流は毛細管を加熱するのに効果的であり、管内の前記液体は揮発させられ、蒸気として毛細管から排出される工程と、
を備えることを特徴とする液体蒸発方法。
【請求項１２】
前記電源はバッテリを有し、
前記電流は、前記バッテリから直列に来る直流電流であり、前記第１の毛細管を通り、前記電気的接続を通り、前記第２の毛細管を通り、さらに前記バッテリに戻ることを特徴とする請求項１１に記載の液体蒸発方法。
【請求項１３】
前記毛細管は熱抵抗材料から構成され、前記液体は前記毛細管を加熱する抵抗の結果として加熱されることを特徴とする請求項１１に記載の液体蒸発方法。
【請求項１４】
前記電気的接続部は前記毛細管の両出口端に配置され、前記両出口端は前記毛細管を加熱している間、実質的に同一温度に熱せられることを特徴とする請求項１１に記載の液体蒸発方法。
【請求項１５】
前記毛細管は互いに平行であり、同一材料で構成され、同一長さ及び同一内径を有することを特徴とする請求項１１に記載の液体蒸発方法。
【請求項１６】
前記毛細管は前記同じ液体源に導通していることを特徴とする請求項１１に記載の液体蒸発方法。
【請求項１７】
蒸発装置は、マウスピースを有する吸入部を備え、前記毛細管は前記マウスピースに出口部を有し、前記出口部から出る蒸気は、前記マウスピース内で凝結してエアゾールになるようにされることを特徴とする請求項１１の液体蒸発方法。
【請求項１８】
前記吸入器は、コントローラとバルブとセンサを備え、
前記方法は、
センサで排出条件を検知する工程と、
前記排出条件に対応する信号を前記コントローラに送信する工程と、
所定量の液体を前記液体源から前記第１及び第２の毛細管に排出するためのバルブを開く工程と、
前記第１及び第２の毛細管に電源を供給する工程と、
所定量の液体が前記第１及び第２の毛細管に排出された後、前記バルブを閉める工程と、
を備えることを特徴とする請求項１７に記載の液体蒸発方法。
【請求項１９】
前記第１及び第２の毛細管は、非常に近接した位置に出口部を有し、この出口部を出る蒸気は大気で凝結することを特徴とする請求項１１に記載の液体蒸発方法。
【請求項２０】
前記液体源は薬用物質の液体を含み、前記毛細管から出る蒸気は前記薬用物質を含むエアゾールを形成することを特徴とする請求項１１に記載の液体蒸発方法。
【請求項２１】
電源と、
前記電源によって電気的に加熱される加熱部であって、入口部を有する第１及び第２の毛細管を含み、これら毛細管で液体を蒸発させるように動作する加熱部と、
電流を前記第１の毛細管に供給し、電流が前記第１の毛細管の少なくとも一部を通るようにする第１の電極と、
前記毛細管を接続し、前記第１の毛細管に供給される電流が前記第２の毛細管の少なくとも一部を通るようにうする電気接続部と、
前記第２の毛細管に電気的に接続され、前記両毛細管が前記電源に直列に電気接続されるようにする第２の電極と、
を備えることを特徴とする２重毛細管液体蒸発装置。
【請求項２２】
（ａ）前記第１及び第２の毛細管は、内径０．１から０．５ｍｍの内径を有するステンレス鋼管で構成され、（ｂ）前記第１及び第２の毛細管は互いに平行であり、それぞれの管の出口端は少なくとも１ｍｍの間隔離れており、（ｃ）前記液体蒸発装置は、マウスピースを有する吸入部を有し、前記毛細管は前記マウスピースに気化された液体を導く出力部を有し、かつ／または、（ｄ）前記電源はバッテリを備え、前記第１の電極は該バッテリの一端に電気的に接続され、前記第２の電極は前記バッテリの他端に接続されている、ことを特徴とする請求項２１に記載の液体蒸発装置。
【請求項２３】
（ａ）前記液体蒸発装置は、コントローラとバルブとセンサを有する吸入部を備え、前記センサは、所定量のエアゾールの排出に対応する排出条件を検知し、前記コントローラは、前記排出条件が前記センサによって検知された場合に前記バルブを開いて液体を液体源から前記第１及び第２の毛細管に排出し、電流を前記第１及び第２の毛細管を通して管内の液体を蒸発させるように、プログラムされており、（ｂ）前記第１及び第２の毛細管は同一材料でなり、同一長さ及び同一内径を有し、（ｃ）前記第１及び第２の電極は、前記電気接続部から少なくとも５ｍｍのところに配置されており、（ｄ）前記毛細管の出口端は、大気にさらされており、かつ／又は（ｅ）前記電気接続部は、毛細管外面間の結合部を構成する、ことを特徴とする請求項２１に記載の液体蒸発装置。
【請求項２４】
液体蒸発装置における液体蒸発方法であって、
第１及び第２の毛細管に液体を供給する工程と、
電源から電流を、前記第１の毛細管に通し、前記第１及び第２の毛細管を相互接続している電気接続部に通すことにより、前記第１及び第２の毛細管を加熱し、前記電流は毛細管を加熱するのに効果的であり、管内の前記液体は揮発させられ、蒸気として毛細管から排出される工程と、
を備えることを特徴とする液体蒸発方法。
【請求項２５】
（ａ）前記電源はバッテリを備え、前記電流は該バッテリから直列に来る直流電流であり、前記第１の毛細管を通り、前記電気的接続を通り、前記第２の毛細管を通り、さらに前記バッテリに戻り、（ｂ）前記毛細管は熱抵抗材料から構成され、前記液体は前記毛細管を加熱する抵抗の結果として加熱され、（ｃ）前記電気的接続部は前記毛細管の両出口端に配置され、前記両出口端は前記毛細管を加熱している間、実質的に同一温度に熱せられ、（ｄ）前記毛細管は互いに平行であり、同一材料で構成され、同一長さ及び同一内径を有し、（ｅ）前記毛細管は前記同じ液体源に導通しており、（ｆ）前記液体は薬用物質の液体を含み、前記毛細管から出る蒸気は前記薬用物質を含むエアゾールを形成し、かつ／又は（ｇ）前記第１及び第２の毛細管は、非常に近接した位置に出口部を有し、この出口部を出る蒸気は大気で凝結する、
ことを特徴とする請求項２４に記載の液体蒸発方法。
【請求項２６】
（ａ）前記液体蒸発装置は、マウスピースを有する吸入部を備え、前記毛細管は前記マウスピースに出口部を有し、前記出口部から出る蒸気は、前記マウスピース内で凝結してエアゾールになるようにされ、かつ／又は（ｂ）前記液体蒸発装置は、前記液体蒸発装置は、コントローラとバルブとセンサを有する吸入部を備え、前記液体蒸発方法は、さらに、前記センサで排出条件を検知する工程と、前記排出条件に対応する信号を前記コントローラに送信する工程と、前記バルブを開いて所定量の液体を前記液体源から前記第１及び第２の毛細管に排出する工程と、電源を前記第１及び第２の毛細管に供給する工程と、所定量の液体が前記第１及び第２の毛細管に排出された後に前記バルブを閉じる工程と、を備えることを特徴とする請求項２４に記載の液体蒸発方法。